(57)【要約】【課題】プラズマディスプレイ装置などの大画面で薄型のディスプレイ装置の薄型化と電磁波遮蔽効果を両立させることができる電磁波遮蔽部材を提供すること。【解決手段】布状の金属繊維を１周以上巻きつけた環状部と、環状部から金属繊維が延びた延長部とを有する電磁波遮蔽部材により、ディスプレイパネルの端部で導電性前面フィルタが貼られていない部分とキャビネットの間に配置されてキャビネットに導電し、延長部が導電性前面フィルタの金属端部に導電接続され、前面フィルタとキャビネットの導電を行うことにより、プラズマディスプレイパネルの表面ガラスの割れを防止しながら電磁波遮蔽を行うことができる。【選択図】図１
2010010255.tif 000002
【特許請求の範囲】
【請求項１】
布状の金属繊維を１周以上巻きつけた環状部と、
前記環状部から前記金属繊維が延びた延長部とを備えた電磁波遮蔽部材。
【請求項２】
前記環状部の中に弾性体を備えた請求項１に記載の電磁波遮蔽部材。
【請求項３】
前記弾性体の断面が台形状或いは半円状であることを特徴とする請求項２に記載の電磁波遮蔽部材。
【請求項４】
ディスプレイパネルと、
前記ディスプレイパネルの前面に貼られ、金属メッシュまたは金属スパッタ形成された導電層と、前記導電層の周縁部に形成された金属端部を有する導電性前面フィルタと、
布状の金属繊維を１周以上巻きつけた環状部と、前記環状部から前記金属繊維が延びた延長部とを有する電磁波遮蔽部材と、
前記ディスプレイパネルを取囲む導電性のキャビネットを備え、
前記電磁波遮蔽部材は、前記環状部が前記ディスプレイパネルの端部で前記導電性前面フィルタが貼られていない部分と前記キャビネットの間に配置されて前記キャビネットに導電し、前記延長部が導電性前面フィルタの金属端部に導電接続されたことを特徴とするディスプレイパネル装置。
【発明の詳細な説明】
【技術分野】
【０００１】
本発明は、プラズマディスプレイ装置などの大画面で薄型のディスプレイ装置に適用する電磁波遮蔽部材に関するものである。
【背景技術】
【０００２】
プラズマディスプレイ（Ｐｌａｓｍａ  ｄｉｓｐｌａｙ）装置やＣＲＴディスプレイ（Ｃａｔｈｏｄｅ−Ｒａｙ  Ｔｕｂｅ  ｄｉｓｐｌａｙ）装置などの自発光型ディスプレイ装置は、視野角の依存性が無く自然な映像が得られることから広く使用されている。特にプラズマディスプレイ装置は、薄型であり、かつ大画面を構成するのに最適であることから、急速に普及が進んでいる。
【０００３】
プラズマディスプレイ装置は、主としてプラズマディスプレイパネルを有するプラズマディスプレイモジュール部とそのモジュールを囲むシールド筐体によって構成されている。このプラズマディスプレイパネルは、ガス放電により発生した紫外線によって各放電セルに設けられた蛍光体を励起して可視光を発生させて表示光とするディスプレイであり、複数の電極（表示電極対およびアドレス電極）が格子状に配列され、各電極の交差部となる放電セルを選択的に発光させることにより画像を形成する。この原理により、電極には駆動のための大きな電流が流れるため、プラズマディスプレイモジュールからはこの電流によって電磁界が発生する。
【０００４】
このように発生する電磁界をシールドするためのプラズマディスプレイ装置の構成についての提案がなされている（例えば、特許文献１参照）。
【０００５】
従来のプラズマディスプレイ装置の構成について、図１０を参照しながら説明する。図１０は、従来のプラズマディスプレイ装置の構成を説明するための概略図で、図１０（ａ）は正面図、図１０（ｂ）は図１（ａ）の線分Ａ−ＡにおけるＡ−Ａ断面図である。
【０００６】
プラズマディスプレイパネル１０の前面には、導電性のフィルタ２０が直接貼り付けられている。そしてフィルタ２０は、フィルタ２０の上に配置された電磁波遮蔽部材２１を介して導電性キャビネット１７と電気的に接続されている。また、背面側の導電性バックカバー１６と、導電性キャビネット１７もビス等（図示せず）により電気的に接続されている。以上の構成により、プラズマディスプレイモジュールを導電性の部材で囲む構成をとり、発生する電磁界を電磁気的に遮蔽している。
【特許文献１】特開２００６−０９１８４４号公報
【発明の開示】
【発明が解決しようとする課題】
【０００７】
電磁波遮蔽部材２１とは例えばスポンジのような弾性材料の表面に金属繊維を貼り付けた構成をとることが多い（ガスケットと称される）。
【０００８】
しかしながら、プラズマディスプレイ装置の更なる薄型化を進めていった場合、導電性キャビネット１７と導電性フィルタ２０の間に許される隙間（すなわち電磁波遮蔽部材２１を挿入する隙間）が極めて狭くなることが想定される。
【０００９】
例えば、その隙間が１ｍｍ以下になった場合、装置の部材寸法のばらつきや組み立て公差により、最小隙間が０．２ｍｍ程度にまで狭まる。このような狭い隙間に従来の電磁波遮蔽部材２１を挿入することは物理的に困難であることが想定さる。また、仮に電磁波遮蔽部材２１をその狭い隙間に挿入したとしても弾性材料の過剰圧縮による反発力が必要以上に大きくなって、プラズマディスプレイパネル１０の表面ガラスの割れが発生する可能性が高くなるという課題がある。
【００１０】
本発明は上記課題に鑑みてなされたものであり、プラズマディスプレイ装置などの大画面で薄型のディスプレイ装置の薄型化と電磁波遮蔽効果を両立させることができる電磁波遮蔽部材を提供することを目的とする。
【課題を解決するための手段】
【００１１】
前記従来の課題を解決するために、本発明の電磁波遮蔽部材は、布状の金属繊維を１周以上巻きつけた環状部と、環状部から金属繊維が延びた延長部とを有し、ディスプレイパネルの端部で導電性前面フィルタが貼られていない部分とキャビネットの間に配置されてキャビネットに導電し、延長部が導電性前面フィルタの金属端部に導電接続され、前面フィルタとキャビネットの導電を行う。
【発明の効果】
【００１２】
本発明による電磁波遮蔽部材によれば、プラズマディスプレイ装置の更なる薄型化の際に、プラズマディスプレイパネルの表面ガラスの割れを防止しながら電磁波遮蔽を行うことができる。
【発明を実施するための最良の形態】
【００１３】
以下、本発明の電磁波遮蔽部材を適用したプラズマディスプレイ装置等の実施の形態について図面を参照して説明する。なお、実施の形態において同様の動作を行う構成要素に同じ符号を付し、再度の説明を省略する場合がある。
【００１４】
（実施の形態１）
まず、実施の形態１に係るプラズマディスプレイ装置について説明する。図１は本発明の実施の形態１に係るプラズマディスプレイ装置の構成の概略図で、図１（ａ）は正面図で、図１（ｂ）は図１（ａ）の線分Ａ−Ａにおける断面図である。図１は、本発明において不要電磁波輻射に深く関連する構成要素のみを示している。図２は本発明の実施の形態１に係るプラズマディスプレイ装置におけるプラズマディスプレイモジュールの斜視図である。
【００１５】
プラズマディスプレイ装置１は、図１のように主にプラズマディスプレイモジュール２と、導電性前面フィルタ２０と、導電性キャビネット１７、バックカバー１６、電磁波遮蔽部材３０とで構成されている。
【００１６】
プラズマディスプレイモジュール２は、図１および図２のように長手方向に平行な走査・維持電極１４および短手方向に平行なアドレス電極１５を有するプラズマディスプレイパネル１０の非表示面側に、プラズマディスプレイパネル１０の保持板であるシャーシ導体１１が熱伝導シート１８を介して配置されている。
【００１７】
走査・維持電極用駆動回路基板１２ａ、アドレス電極用駆動回路基板１２ｂ、中継回路基板１２ｃ、放電制御回路基板１２ｄは、シャーシ導体１１の背面側に配置されている。走査・維持電極用駆動回路基板１２ａは駆動信号を発生させて、フレキシブルケーブル１３ａによってプラズマディスプレイパネル１０の走査・維持電極１４に伝える。そして、放電制御回路基板１２ｄは表示制御用の高周波信号を発生させて、フレキシブルケーブル１３ｄによって中継回路基板１２ｃに伝え、フレキシブルケーブル１３ｃによってアドレス電極用駆動回路基板１２ｂに伝える。そして、アドレス電極用駆動回路基板１２ｂは駆動信号を発生させて、フレキシブルケーブル１３ｂによってプラズマディスプレイパネル１０のアドレス電極１５に伝える構成となっている。
【００１８】
シャーシ導体１１は、熱伝導率および電気伝導率の高いアルミニウム、銅等の金属板で構成されている。そして、シャーシ導体１１の一方の面（前面）には熱伝導シートを介してプラズマディスプレイパネル１０が取り付けられ、他方の面（背面）には、各駆動回路基板等がシャーシ導体１１と平行になるように取り付けられて、各駆動回路基板のグラウンドと接続されている。このため、シャーシ導体１１はプラズマディスプレイパネル１０や各駆動回路基板等を保持し、これらの強度を保つ強度部材として機能するだけでなく、各駆動回路基板等の電気的なグラウンドとしても機能する。例えば、走査・維持電極用駆動回路基板１２ａのシグナルグラウンドはＧａ点で、アドレス電極用駆動回路基板１２ｂのシグナルグラウンドはＧｂ点で、中継回路基板１２ｃのシグナルグラウンドはＧｃ点で、放電制御回路基板１２ｄのシグナルグラウンドはＧｄ点で、それぞれフレームグラウンドであるシャーシ導体１１に接地されている。
【００１９】
プラズマディスプレイモジュール２の外側には、バックカバー１６、導電性キャビネット１７、導電性前面フィルタ２０、電磁波遮蔽部材３０が配置されており、これらの構成によってプラズマディスプレイモジュール２のシールド筐体が構成される。この電磁波遮蔽部材３０の構造と配置方法の詳細については、後述する。
【００２０】
次に、実施の形態１に係るプラズマディスプレイパネル１０について説明する。図３は本発明の実施の形態１に係るプラズマディスプレイ装置におけるプラズマディスプレイパネルの電極構造の概要図で、図３（ａ）は斜視図、図３（ｂ）は断面図である。プラズマディスプレイパネル１０は、図３に示すように、前面ガラス板１０１と背面ガラス板１０２とが貼り合わされる構造となっており、前面ガラス板１０１には誘電体層１０３が形成されて走査電極１４ａと維持電極１４ｂとからなる走査・維持電極１４が誘電体層１０３に保護される形で多数形成される。背面ガラス板１０２にも誘電体層１０３が形成されており、アドレス電極１５が保護される形で多数形成される。
【００２１】
走査・維持電極１４とアドレス電極１５との交差位置で、走査・維持電極１４とアドレス電極１５とに挟まれた部分が放電セル１０４であり、ヘリウム（Ｈｅ）、ネオン（Ｎｅ）、キセノン（Ｘｅ）等の希ガスを含む放電ガスが封入されている。放電セル１０４は、隔壁１０５で区画されて形成され、各放電セル内は、赤、青、緑の蛍光体１０６ａ〜１０６ｃが塗り分けられている。
【００２２】
次に、実施の形態１に係る導電性前面フィルタ２０について説明する。図４は本発明の実施の形態１のプラズマディスプレイ装置における導電性前面フィルタの斜視図である。導電性前面フィルタ２０は、図４に示すように、外部からの衝撃を緩和する衝撃吸収層２０１、衝撃吸収層２０１上に銅などの金属メッシュまたは金属スパッタ形成された導電層２０２、導電層２０２の周縁部に形成された金属端部２０３、透明な絶縁樹脂で導電層２０２上に形成された保護膜２０４から構成されている。金属端部２０３は保護膜２０４で覆われていないので、電気的な接続箇所として機能する。この導電性前面フィルタ２０が、プラズマディスプレイパネル１０の前面側表面に直接張り付けられている。
【００２３】
なお、導電層２０２としては、金属メッシュとして銅メッシュ、金属スパッタとして銀スパッタなどが用いられる。なお、金属メッシュは金属スパッタより低い抵抗率のため、高いシールド効果が得られる。
【００２４】
衝撃吸収層２０１は外部からの衝撃からプラズマディスプレイパネル１０を保護するために設けられるものであり、ガラスを保護するための所定の厚みが必要とされ、具体的には０．５ｍｍ程度の厚みのものが使用される。
【００２５】
導電性キャビネット１７は、導電性前面フィルタ２０の金属端部２０３と導電性部材２１を介して電気的に接触するように配置される。さらに、導電性キャビネット１７はビス等（図示せず）を介してバックカバー１６とも接触している。
【００２６】
バックカバー１６は、導電性の金属板をプレス成形することにより形成され、プラズマディスプレイパネル１０の背面と各駆動回路基板等を覆うように導電性キャビネット１７に固定されており、プラズマディスプレイパネル１０、各駆動回路基板等から放射される電磁波を遮蔽する役割を担っている。
【００２７】
ここで、本発明の電磁波遮蔽部材３０の構造と配置方法の詳細について、図５および図６を参照しながら説明する。
【００２８】
図５は本発明の実施の形態１に係るプラズマディスプレイ装置における電磁波遮蔽部材の第１の構造を示す図で、図５（ａ）が斜視図、図５（ｂ）が底面図である。本発明の電磁波遮蔽部材３０は、断面が略長方形の弾性体３０ａ（例えばウレタンフォームなどのスポンジ）のまわりに、ポリエステル製繊維にメッキ加工した布状の金属繊維３０ｂをひと巻き以上巻きつけた後、その端部を適当量巻き付けない状態にしておく構成をとる。すなわち、金属繊維３０ｂはスポンジに１周以上巻きつけた環状部と、環状部から延長した延長部とで構成される。このような構成をとることにより、電磁波遮蔽部材３０の導電部は一体の金属繊維で構成されることになるので、導電性が不連続になることがなく電磁波遮蔽効果が高くなる。
【００２９】
図５（ｂ）に示すように電磁波遮蔽部材３０の底面には、固定用の粘着材３０ｃおよび３０ｄが配置される。このうち粘着材３０ｄは金属粒子を散布したアクリル系粘着材により導電性を有している。また、粘着材３０ｃについては必ずしも導電性を有する必要はない。また金属繊維３０ｂの端部の粘着材３０ｄの反対側には、プラズマディスプレイ装置へのほこり侵入を防止するためのごく薄くまた弾性の弱いほこり防止弾性体３０ｅ（例えばスポンジ）が配置される。
【００３０】
そして、図６は、本発明の実施の形態１に係るプラズマディスプレイ装置における電磁波遮蔽部材の配置図であり、図１のＢ部拡大図である。なお理解を容易にするため実際の縮尺とは一致するものとはなっていない。
【００３１】
本発明の実施の形態１において、導電性前面フィルタ２０はプラズマディスプレイパネル１０の外形寸法に対して上下左右とも若干量小さめに形成されて貼り付けられる。導電性前面フィルタ２０は、導電性キャビネット１７の開口部の面積に導電性前面フィルタ２０の金属端部２０３の面積を加えた面積より大きく、プラズマディスプレイパネル１０の面積から電磁波遮蔽部材３０の２個分の面積を差し引いた面積よりも小さいサイズとしている。このような構成をとることにより、導電性キャビネット１７と導電性前面フィルタ２０の隙間がきわめて狭くなった（例えば０．２ｍｍ）場合でも、プラズマディスプレイパネル１０の端部と導電性キャビネット１７の隙間は、導電性前面フィルタ２０の厚み分（例えば０．５ｍｍ）だけ多めに確保することができる。
【００３２】
電磁波遮蔽部材３０は、導電性前面フィルタ２０が貼り付けられていないプラズマディスプレイパネル１０の端部に粘着材３０ｃにより固定する。そして、電磁波遮蔽部材３０の弾性体３０ａから延びた金属繊維３０ｂを粘着材３０ｄにより導電性前面フィルタ２０の金属端部２０３に接続、固定する。また、プラズマディスプレイパネル１０に導電性キャビネット１７を被せるときに、電磁波遮蔽部材３０の弾性体３０ａは適度に圧縮されて、導電性キャビネット１７と電磁波遮蔽部材３０の導通が確保される。これらのことで、導電性前面フィルタ２０の導電層２０２は、電磁波遮蔽部材３０経由で導電性キャビネット１７までの導通が確保される。
【００３３】
以上の構成により、プラズマディスプレイパネルの前面に貼られた導電性前面フィルタと導電性キャビネットとの隙間がきわめて狭くなった場合でも、プラズマディスプレイパネルの前面側を導電的に連続的に囲い込むことができるので、十分な電磁波遮蔽効果を得ることができる。さらに弾性体が過剰に圧縮されることがないので、プラズマディスプレイパネルにかかる圧力を適切にすることができる。
【００３４】
なお、本実施の形態において、電磁波遮蔽部材３０の弾性体３０ａの断面が略長方形であるとしたが、図７、図８のように弾性体３０ａの断面が導電性キャビネット１７側の面積が小さくなる台形状や略半円状にするとしても良い。図７は本発明の実施の形態１に係るプラズマディスプレイ装置における電磁波遮蔽部材の第２の構造を示す図で、図８は本発明の実施の形態１に係るプラズマディスプレイ装置における電磁波遮蔽部材の第３の構造を示す図である。
【００３５】
図７、図８のように弾性体３０ａを台形状や略半円状の断面としたことの効果であるが、導電性キャビネット１７と接触する側は、圧力が集中するため、導電性キャビネット１７と電磁波遮蔽部材３０の接触抵抗をより下げることができ電磁波遮蔽効果をあげることができる。また逆にプラズマディスプレイパネル１０と接触する側は、圧力が分散されることになり、プラズマディスプレイパネル１０にかかる圧力負荷を軽減させることができる。
【００３６】
なお、本実施の形態において、電磁波遮蔽部材３０に弾性体３０ａを使用するとしたが、図１０のように弾性体３０ａを使用しないとしてもよい。図９は本発明の実施の形態１に係るプラズマディスプレイ装置における電磁波遮蔽部材の第４の構造を示す図である。その場合は、金属繊維３０ｂを１周以上させて金属遷移の円環を作る。そして、金属繊維３０ｂの円環は適度に圧縮されて、導電性キャビネット１７と電磁波遮蔽部材３０の導通が確保される。
【００３７】
図９のように弾性体３０ａを使用しないとしたことの効果であるが、プラズマディスプレイパネル１０と導電性キャビネット１７との隙間が金属繊維３０ｂ程度しかない場合でも、プラズマディスプレイパネル１０の前面側を導体で連続的に囲い込むことができるので、十分な電磁波遮蔽効果を得ることができる。また電磁波遮蔽部材３０が過剰に圧縮されることがないので、プラズマディスプレイパネル１０にかかる圧力を適切にすることができる。
【００３８】
なお、上記の実施の形態において用いた具体的な数値等は、単に一例を挙げたに過ぎず、表示デバイスの特性や画像表示装置の仕様等に合わせて、適宜最適な値に設定することが可能である。
【産業上の利用可能性】
【００３９】
以上のように、本発明にかかる電磁波遮蔽部材は、更なる薄型化を目的としたプラズマディスプレイ装置等や隙間が極端に小さい装置に適用する電磁波遮蔽部材として有用である。
【図面の簡単な説明】
【００４０】
【図１】本発明の実施の形態１に係るプラズマディスプレイ装置の概略図、（ａ）正面図、（ｂ）Ａ−Ａ断面図
【図２】本発明の実施の形態１に係るプラズマディスプレイ装置におけるプラズマディスプレイモジュールの斜視図
【図３】本発明の実施の形態１に係るプラズマディスプレイ装置におけるプラズマディスプレイパネルの電極構造の概要図、（ａ）斜視図、（ｂ）断面図
【図４】本発明の実施の形態１に係るプラズマディスプレイ装置における導電性前面フィルタの斜視図
【図５】本発明の実施の形態１に係るプラズマディスプレイ装置における電磁波遮蔽部材の第１の構造を示す図、（ａ）斜視図、（ｂ）底面図
【図６】本発明の実施の形態１に係るプラズマディスプレイ装置における電磁波遮蔽部材の配置図
【図７】本発明の実施の形態１に係るプラズマディスプレイ装置における第２の電磁波遮蔽部材の配置図
【図８】本発明の実施の形態１に係るプラズマディスプレイ装置における第３の電磁波遮蔽部材の配置図
【図９】本発明の実施の形態１に係るプラズマディスプレイ装置における第４の電磁波遮蔽部材の配置図
【図１０】従来のプラズマディスプレイ装置の概略図、（ａ）正面図、（ｂ）Ａ−Ａ断面図
【符号の説明】
【００４１】
１    プラズマディスプレイ装置
２    プラズマディスプレイモジュール
１０    プラズマディスプレイパネル
１１    シャーシ導体
１２ａ    走査・維持電極用駆動回路基板
１２ｂ    アドレス電極用駆動回路基板
１２ｃ    中継回路基板
１２ｄ    放電制御回路基板
１３ａ、１３ｂ、１３ｃ、１３ｄ    フレキシブルケーブル
１４    走査・維持電極
１５    アドレス電極
１６    バックカバー
１７    導電性キャビネット
１８    熱伝導シート
１９    前面キャビネット
２０    導電性前面フィルタ
２１    従来の電磁波遮蔽部材
３０    電磁波遮蔽部材（第１の構造）
３１    電磁波遮蔽部材（第２の構造）
３２    電磁波遮蔽部材（第３の構造）
１０１    前面ガラス板
１０２    背面ガラス板
１０３    誘電体
１０４    放電セル
１０５    隔壁
１０６ａ、１０６ｂ、１０６ｃ    蛍光体
２０１    衝撃吸収層
２０２    導電層
２０３    金属端部
２０４    保護膜
【図１】
2010010255.tif 000003
【図２】
2010010255.tif 000004
【図３】
2010010255.tif 000005
【図４】
2010010255.tif 000006
【図５】
2010010255.tif 000007
【図６】
2010010255.tif 000008
【図７】
2010010255.tif 000009
【図８】
2010010255.tif 000010
【図９】
2010010255.tif 000011
【図１０】
2010010255.tif 000012